(57)【要約】【課題】ウェブ閲覧機能を搭載した携帯電話機間の通信において、接続に必要な手間を軽減し、かつ、利用者間で電話番号や電子メールなど固定された識別情報なしに通信を可能とする。【解決手段】ウェブ閲覧機能を搭載した携帯電話機を使い、双方に４桁から８桁のＩＤとして発行された番号を交換する事によって、任意な１対１の組を特定する方法を提供する。【選択図】　図１
2004080723.tif 000002
【特許請求の範囲】
【請求項１】
携帯電話機の利用者のマッチングにおいて、４桁から８桁の同じ長さの番号を割り当て、利用者の番号を交換し組み合わせたＩＤ（合成ＩＤ）から１対１の組を特定するシステム。
【請求項２】
請求項１において、番号の割当て元として、ウェブサーバーやｉアプリ等の装置に番号を発行させる事で、重複しにくい番号を発行する事が可能である。
【請求項３】
請求項２において、利用者は番号を配布される立場にある為、実際に入力する番号は任意に選択した相手の桁数（４桁から８桁）分のみであり、合成したＩＤ（８桁から１６桁）の識別能力（精度）に比べ入力操作に掛かる手間を減らす特徴をもつ。
【請求項４】
請求項１において、会員制等で、あらかじめ個人の任意の識別情報をデータベース化し、そのデータベースを扱う事によって１対１の組になった双方のデータの確実性を表示出来、利用者が視覚的に確認することも可能である。
【請求項５】
請求項１において利用者は一時的に発行される番号を扱う事で１対１の組を特定するシステムであるので、自分の個人情報（電話番号、電子メールアドレス等）を通信したい相手に教える必要がない特徴がある。
【発明の詳細な説明】
【０００１】
【発明の属する技術分野】
本発明はウェブ閲覧機能を搭載した携帯電話機を用い、利用者がネットワーク上で任意に選択した個人を固定された識別情報（電話番号、電子メールアドレス等）を使用せずに識別する手段であり、利用者間でネットワークを介してマッチングさせるロジックに関するものである。
【０００２】
【従来の技術】
現在、通信を行う上で様々な任意な相手を識別するシステムが存在するが、個人を限定する不変の識別情報（電話番号、電子メールアドレス）を伝達する事によって、任意の相手と接続を可能にしている。
【０００３】
【発明が解決しようとする課題】
現状のウェブ閲覧機能を搭載した携帯電話機から任意に指定した相手と通信する手段を実装するのは難しい。
【０００４】
理由はＩｒＤＡなど赤外線通信機能等、ハード面での通信ユニットを実装している機種は少なく、また実際に実装されてもメーカなどの仕様によって互換性が保たれる可能性は低い問題がある。更に現状普及している携帯電話機もその枠に入る為には少なくともハードの通信機能では、利用者のニーズを十分に補えない現実があるといえる。
【０００５】
一方、従来のソフトウェア面での問題は、相手を識別する為に、その個人を常に特定する固定された識別情報（電話番号、電子メールアドレス等）を伝えなければならない。この固定された識別情報は特定された個人を常に管理している情報であるため、安易に他人に教えられないという点でセキュリティ面の問題が大きいと考えられる。
【０００６】
また、個人を限定する確定している識別情報は、従来の識別情報としての長さは安易に記憶できるような量ではない。
【０００７】
携帯電話機の識別情報（電話番号）に至っては、数字の羅列を１０個以上記憶する必要がある。
【０００８】
また、電子メールアドレスに関しては、暗号のようにしてしまえば、短い情報量でアドレスを取得できるが、関連性のない文字列は記憶が安易ではない。現状では、自分の名前の一部や身近な存在の名称に偏り、その組み合わせなどを登録する人が多いため、その識別情報は複雑に長く入力には時間がかかる。
【０００９】
そのため、電話番号や電子メールアドレスは一度通信したい相手に登録をしてもらい、その上でメニューやニックネーム等の短縮操作できる要素を個人毎に設定しているのが現状である。
【００１０】
【課題を解決するための手段】
【００１１】
ネットワーク上に本発明の意図として設置したサーバーを介して、ウェブ閲覧機能搭載の携帯電話機で任意の１対１の組を確立させる方法である。
【００１２】
請求項２より、本発明の意図としたサービスを提供するウェブサーバーや携帯電話機のｉアプリ等の番号を発行させる事のできる装置上に、ウェブ閲覧機能を搭載した携帯電話機でアクセスし、装置上から４桁から８桁の番号を利用者に配布する。
【００１３】
利用者は発行された番号を通信したい相手と交換し、再度サーバーにアクセスする。
【００１４】
現状、携帯電話には個々に識別できるＩＤを持っており、サーバー等でこのＩＤを取得し活用できる。ここでは、このＩＤを利用者ＩＤとして扱う。
【００１５】
アクセス時に、サーバー内にて番号を交換する事で生成された合成ＩＤでマッチングを行い、マッチングされた利用者ＩＤをサーバーに限定させる事で確立する。
【００１６】
（Ａ−１）番号は利用者（又は会員登録者）にとって常に固定なものではなく、アクセス時に割当て、有効期限として任意な単位時間を設ける事で一時的に識別させるものとする。
【００１７】
（Ａ−２）番号は交換する際、両者の番号の４桁から８桁の任意な数字が前後する関係で共通の数値にならない為、共通化する法則、乃至、条件が必要となる。
【００１８】
（Ｂ−１）（Ａ−２）において、法則、乃至、条件として、双方に発行された任意の桁の番号を比べた場合、番号の大きい方を前、番号の小さい方を後に配置する方法がある。
【００１９】
（Ｂ−２）（Ａ−２）において、法則、乃至、条件として、双方に発行された任意の桁の番号を比べた場合、番号の小さい方を前、番号の大きい方を後に配置する方法がある。
【００２０】
（Ｃ）組み合わせ対象となるＩＤとの照合は、（Ｂ−１）または（Ｂ−２）により組み合わせた数値が等しく、双方の送信の時間差が任意に定めた時間内であるという条件を満たす場合に限り組にする。
【００２１】
【発明の実施の形態】
【００２２】
サーバーによって番号を割り振った場合における実施形態の全体の流れを図１に示す。また、実際の動作としてサーバーから番号を配布する場合の様子を図２に示し、１対１で通信したい相手の番号を入力し通信するまでの様子を図３に示す。
【００２３】
端末はネットワーク上でのサーバーを機能し、図１のサーバーはその例である。構成はサーバー（２）とウェブ閲覧機能搭載の携帯電話機２台（１）、（３）で構成される。
【００２４】
利用者２名を、それぞれ、利用者甲、利用者乙とする。
【００２５】
利用者甲は本発明をサービスしているサイトへアクセスする。（４）
【００２６】
同様に利用者乙も本発明をサービスしているサイトへアクセスする。（５）
【００２７】
利用者甲はウェブの項目の中から番号を発行するＵＲＬへアクセス（６）、（２−１）しサーバーに番号を発行させ（７）、携帯電話機の表示部分に番号を表示（９）、（２−３）する。
【００２８】
同様に利用者乙も番号を発行するＵＲＬへアクセス（８）、（２−２）しサーバーに番号を発行させ（７）、携帯電話機の表示部分に番号を表示（１０）、（２−４）する。
【００２９】
利用者甲は利用者乙の番号を入力し再度アクセスする。（１１）、（３−１）
【００３０】
利用者乙は利用者甲の番号を入力し再度アクセスする。（１２）、（３−２）
【００３１】
サーバーは（１２）や（１４）で発生した情報を（Ｂ−１）や（Ｂ−２）などの方法で合成ＩＤとする。
【００３２】
サーバーに蓄積された合成ＩＤ、利用者ＩＤ、アクセス時刻等の情報（１２）、（１４）は、その時間差が任意に定めた有効期限内（単位時間）であるかを確認し、条件を満たした場合マッチングする（１５）。
【００３３】
不特定多数の利用者の中から識別された利用者甲と利用者乙のマッチング情報は別の様々な用途のサーバーに引き継ぎ、活用される。（１５）、（１６）、（１７）、（１８）
【００３４】
【発明の効果】
【００３５】
本発明の効果は既存する個人を識別する固定された情報を扱わずに通信が可能であり、セキュリティ面において安心して通信できる効果が期待できる。
【００３６】
本発明の効果は、既存する通信手段の中でも、４桁から８桁の数値を入力するだけで接続を可能にするので入力時間の時間短縮を行う事が出来る。
【図面の簡単な説明】
【図１】本発明の実施を展開したチャート図である。
【図２】本発明の実施における、サーバーが番号発行時の携帯電話機の様子を展開した図である。
【図３】本発明の実施におけるマッチング時の携帯電話機の様子を展開した図である。
【図１】
2004080723.tif 000003
【図２】
2004080723.tif 000004
【図３】
2004080723.tif 000005